(57)【要約】      （修正有）【課題】軽トラックの荷台のあおりに載置される差し枠パネルを確実に固定して安定的に立設させると共に、現場での取り付け取り外しが容易にできる差し枠パネル固定具の提供を図る。【解決手段】本発明の差し枠パネル固定具は、軽トラックのあおりの上端面に載置される差し枠パネル２０と、該差し枠パネル２０の上下端部を狭持して固定する上端パネル固定具３１とあおりパネル固定具３４とからなる固定具３０と、で構成され、使用時において、あおりパネル固定具３４のあおりパネル狭持部３５を軽トラックのあおりの上端部に差し込んで固定すると共に、あおりパネル固定具３４の差し枠パネル狭持部３７に側面差し枠パネル２１ならびに後面差し枠パネル２２の下端部を差し込んで固定し、さらに、対向する側面差し枠パネル２１の上端部に少なくとも１以上の上端パネル固定具３１を差し込んで固定する手段を採る。【選択図】図１
2018144787.tif 000002
【特許請求の範囲】
【請求項１】
軽トラックのあおりの上端面に載置される差し枠パネルと、該差し枠パネルの上下端部を狭持して固定する固定具と、で構成される差し枠パネル固定具であって、
前記差し枠パネルは、軽トラックのあおりの上端面に載置される形状で形成されると共に、脱落防止手段を備える二枚の側面差し枠パネルと、一枚の後面差し枠パネルと、から成り、
前記固定具は、前記側面差し枠パネル間に配置される所定の長さを有する連結ロッドの両端に前記側面差し枠パネルの上端部を横架する脱落防止手段を備える略Ｌ字状の差し込み部を形成して成る複数の上端パネル固定具と、
垂直に立設する略コの字状のアングル構造材の高さ方向の所定の位置に略コの字状の凹部を塞いで一側方向に延設して軽トラックのあおりの上端面に安定的に載置される平板状の載置板を固着すると共に、該載置板を境に上方に差し枠パネル狭持部が形成され、下方にあおりパネル狭持部が形成され、さらに該あおりパネル狭持部の側壁面に軽トラックのあおりが差し込まれる切り欠け部が形成されるあおりパネル固定具と、から成り、
使用時において、前記あおりパネル固定具のあおりパネル狭持部を軽トラックのあおりの上端部に差し込んで固定すると共に、前記あおりパネル固定具の差し枠パネル狭持部に前記側面差し枠パネルならびに前記後面差し枠パネルの下端部を差し込んで固定し、さらに、対向する前記側面差し枠パネルの上端部に少なくとも１以上の前記上端パネル固定具を差し込んで固定することを特徴とする差し枠パネル固定具。
【請求項２】
軽トラックのあおりの上端面に載置される差し枠パネルと、該差し枠パネルの上下端部を狭持して固定する固定具と、で構成される差し枠パネル固定具であって、
前記差し枠パネルは、軽トラックのあおりの上端面に載置される形状で形成されると共に、脱落防止手段を備える二枚の側面差し枠パネルと、一枚の後面差し枠パネルと、から成り、
前記固定具は、前記側面差し枠パネル間に配置される所定の長さを有する連結ロッドの両端に前記側面差し枠パネルの上端部を狭持する脱落防止手段を備える略Ｕ字状の狭持部を形成して成る複数の上端パネル固定具と、
軽トラックのあおりの上端部を狭持する開口部が下向きの略コの字状のあおりパネル狭持部を形成すると共に、前記差し枠パネルの下端部を狭持する開口部が上向きの略コの字状の差し枠パネル狭持部を形成し、さらに前記あおりパネル狭持部と前記差し枠パネル狭持部の中間に軽トラックのあおりの上端面に安定的に載置される平板状の載置板を備えるあおりパネル固定具と、
前記側面差し枠パネルと、前記後面差し枠パネルの上端部を同時に狭持して固定することができる脱落防止手段を備えて直交する略コの字状の狭持部を形成して成る少なくとも２以上のコーナーパネル固定具と、から成り、
使用時において、前記あおりパネル固定具のあおりパネル狭持部を軽トラックのあおりの上端部に差し込んで固定すると共に、前記あおりパネル固定具の差し枠パネル狭持部に前記側面差し枠パネルならびに前記後面差し枠パネルの下端部を差し込んで固定し、さらに、対向する前記側面差し枠パネルの上端部に少なくとも１以上の前記上端パネル固定具を差し込んで固定し、さらにまた、前記コーナーパネル固定具を前記側面差し枠パネルと前記後面差し枠パネルの交差部に差し込んで固定することを特徴とする差し枠パネル固定具。
【請求項３】
前記上端パネル固定具の連結ロッドの中間位置に、分解・組立手段若しくは折り畳み手段を設けたことを特徴とする請求項１または請求項２記載の差し枠パネル固定具。
【請求項４】
前記請求項１〜請求項３の何れか記載の差し枠パネル固定具を軽トラックの荷台に装着した状態で幌カバーを被覆させたことを特徴とする幌カバー付き軽トラック。
【発明の詳細な説明】
【技術分野】
【０００１】  本発明は、軽トラックの荷台のあおりに載置される差し枠パネルを確実に固定して安定的に立設させると共に、現場での取り付け取り外しが容易にできる差し枠パネル固定具に関する。
【背景技術】
【０００２】  従来より、軽トラックが利用されている農業、漁業、林業の分野においては、日常的な交通手段としてはもとより生産物、資材、肥料、土壌など多様な積載物の運搬手段として広く使用されている。一方、機械や食品製造業の分野においては、梱包製品や箱詰めされた商品の流通移動手段として広く使用されている。他方、サービス業、運送業、販売業の分野においては、書類、什器、宅配品、販売品などの配達手段の一つとして多様に使用されている。以上のように、従来における軽トラックの活用方法は、各産業分野に亘って多様に利用され、その利用目的に合わせて荷台の積載手段も各メーカーや専門業者によって多様な形状を以って提供されている。【０００３】  上記における具体的な提案例としては、荷崩れ防止構造物を構成する支柱部材等の立設部材を、車両荷台のあおりの上部に、簡易なボルト固定手段によって安全且つ簡易に固定することができる「車両荷台のあおりに対する立設部材の固定装置及び該固定装置を構成する固定枠部材の装着方法」（特許文献１）が提案され、公知技術となっている。【０００４】  しかしながら、係る「車両荷台のあおりに対する立設部材の固定装置及び該固定装置を構成する固定枠部材の装着方法」の提案は、立設部材の下端に固定される固定枠部材と、固定枠部材に螺合される水平固定ボルトと、垂直固定ボルトを具える。固定枠部材は、あおりの上部の水平板部に載置される水平片部と、その内外端で下方に突出する内側垂下片部と外側垂下片部と、外側垂下片部の下端で内方に突出する突出片部を具える。外側垂下片部の下側部分に前記水平固定ボルトが螺合され、突出片部に前記垂直固定ボルトが螺合されている。内側垂下片部と外側垂下片部との間にあおりの上部を嵌入し、この嵌入状態で水平固定ボルト及び垂直固定ボルトを締め付けることにより固定枠部材をあおりの上部に固定できるようにして、車両荷台のあおりの上部に対する支柱部材等の立設部材の固定を、簡易なボルト固定手段によって安全に固定することを目的とするあおりの提案であって、該提案を実施するにあたっては固定枠部材を車両のあおりの上部に直接固定する手段を採用していることから、車両のあおりが上げられていることが前提条件となるもので、あおりを上げた状態でトラックの側面からの積載物の出し入れができないといった構造上の問題があるものであった。【０００５】  また、トラック本体に対する振動を抑えることが可能な「トラックのあおり補助部材」が（特許文献２）が提案され、公知技術となっている。【０００６】  しかしながら、係る「トラックのあおり補助部材」の提案は、あおり補助部材を構成する側用部材は、側あおりに沿ってその上側に設けられる平板状の枠体と、当該枠体に取り付けられた２つの支柱とを備える。支柱は、その先端に、第１平板部、第２平板部及び第３平板部からなるクランク状のステーを備える。側用部材は、第２平板部の下面が荷台の上面に当接すると共に、第３平板部の裏面が荷台の側面に当接するように、荷台の周縁に取り付けられる。側あおりが閉じている状態では、側あおりの下面が第２平板部の上面に当接し、第２平板部が側あおりと荷台とに挟み込まれるように構成される。これにより、側用部材��、側あおり及び荷台により固定できるようにした提案であって、該提案は、側用部材に取り付けられている支柱が単に側あおりと荷台との間に挟み込まれる手段を採っていることによって、補助部材自体があおりを利用して自立する構造（両側の側用部材と後用部材が組み立てられた状態において初めて自立する構造）を採用していることから、あおり補助部材を組み立てる際は一人作業が困難なものであると共に、支柱が積載物の外側にかかる荷重をまともに受けるため支柱自体の剛性を高めなければならずその結果、荷台の内側にその剛性手段を構築しなければならないことから、結果的に荷台容量を減らすことになると共に、そのリブ等で形成される剛性手段に流動物や箱物が引っ掛かって作業がやりづらいといった構造上の問題があるものであった。【０００７】  また、雪運びや堆肥運びに利用できるように積載量を増大させることができる「軽トラックのコンパネ用コーナーブラケット」が（特許文献３）が提案され、公知技術となっている。【０００８】  しかしながら、係る「軽トラックのコンパネ用コーナーブラケット」の提案は、コンパネ用コーナーブラケットは、開口側が外向きになるように互いに９０°の角度で背中向きに配置した断面Ｕ字形鋼材からなるコンパネ支持ブラケットと、該コンパネ支持ブラケットの上下端を連結固定する正三角形の上板及び正方形の底板と、一方のコンパネ支持ブラケットの中間位置及び下端位置で閉鎖端の外側側壁から他方のコンパネ支持ブラケットの幅を越えて平行に延長した取付固定片と、他方のコンパネ支持ブラケットの中間位置及び下端位置で閉鎖端の外側側壁から前記取付固定片へ突き当って支持する支持固定片とから構成されることから、コンパネ用コーナーブラケットを軽トラックの荷台にボルト等で固着しなければならず、さらに、荷台の四隅にコーナーブラケットが立設していることによって積載物の積み込みならびに積み下ろし作業のやり辛さならびに作業効率が極めて悪いといった問題があると共に、コンパネ用コーナーラックに脱落防止手段が設けられていないことから、コンパネの交差部を固定するコンパネ用コーナーラックが走行中の振動などでコンパネから外れてから脱落する可能性があるものであった。【０００９】  本出願人は、上記における軽トラックのあおりを利用した差し枠パネルの構造上の問題点に着目し、従来の差し枠パネルに、積載作業の効率化、固定構造の簡易化ならびに軽量化を図り、さらに現場での取り付け取り外しが容易にできる共に、天候に左右されず、多様な目的に即対応できる軽トラックの差し枠パネルの固定具ならびに幌の提供ができないものかという着想の下、軽トラックの荷台のあおりに載置される差し枠パネルを確実に固定して安定的に立設させると共に、現場での取り付け取り外しが容易にできる差し枠パネル固定具とそれを利用した幌を開発し、本発明における「差し枠パネル固定具」の提案に至るものである。
【先行技術文献】
【特許文献】
【００１０】
【特許文献１】特開２００７−８３８５０号公報
【特許文献２】実用新案登録第３２０８２６３号公報
【特許文献３】実用新案登録第３１７６４１４号公報
【発明の概要】
【発明が解決しようとする課題】
【００１１】  本発明は上記問題点を鑑み、軽トラックの荷台のあおりに載置される差し枠パネルを確実に固定して安定的に立設させると共に、現場での取り付け取り外しが容易にできる差し枠パネル固定具の提供を図ることを課題とする。
【課題を解決するための手段】
【００１２】  本発明は上記課題を解決するためになされるもので、本発明の差し枠パネル固定具は、軽トラックのあおりの上端面に載置される差し枠パネルと、該差し枠パネルの上下端部を狭持して固定する固定具と、で構成される差し枠パネル固定具であって、前記差し枠パネルは、軽トラックのあおりの上端面に載置される形状で形成されると共に、脱落防止手段を備える二枚の側面差し枠パネルと、一枚の後面差し枠パネルと、から成り、前記固定具は、前記側面差し枠パネル間に配置される所定の長さを有する連結ロッドの両端に前記側面差し枠パネルの上端部を横架する脱落防止手段を備える略Ｌ字状の差し込み部を形成して成る複数の上端パネル固定具と、垂直に立設する略コの字状のアングル構造材の高さ方向の所定の位置に略コの字状の凹部を塞いで一側方向に延設して軽トラックのあおりの上端面に安定的に載置される平板状の載置板を固着すると共に、該載置板を境に上方に差し枠パネル狭持部が形成され、下方にあおりパネル狭持部が形成され、さらに該あおりパネル狭持部の側壁面に軽トラックのあおりが差し込まれる切り欠け部が形成されるあおりパネル固定具と、から成り、使用時において、前記あおりパネル固定具のあおりパネル狭持部を軽トラックのあおりの上端部に差し込んで固定すると共に、前記あおりパネル固定具の差し枠パネル狭持部に前記側面差し枠パネルならびに前記後面差し枠パネルの下端部を差し込んで固定し、さらに、対向する前記側面差し枠パネルの上端部に少なくとも１以上の前記上端パネル固定具を差し込んで固定する手段を採る。【００１３】  また、本発明は、軽トラックのあおりの上端面に載置される差し枠パネルと、該差し枠パネルの上下端部を狭持して固定する固定具と、で構成される差し枠パネル固定具であって、前記差し枠パネルは、軽トラックのあおりの上端面に載置される形状で形成されると共に、脱落防止手段を備える二枚の側面差し枠パネルと、一枚の後面差し枠パネルと、から成り、前記固定具は、前記側面差し枠パネル間に配置される所定の長さを有する連結ロッドの両端に前記側面差し枠パネルの上端部を狭持する脱落防止手段を備える略Ｕ字状の狭持部を形成して成る複数の上端パネル固定具と、軽トラックのあおりの上端部を狭持する開口部が下向きの略コの字状のあおりパネル狭持部を形成すると共に、前記差し枠パネルの下端部を狭持する開口部が上向きの略コの字状の差し枠パネル狭持部を形成し、さらに前記あおりパネル狭持部と前記差し枠パネル狭持部の中間に軽トラックのあおりの上端面に安定的に載置される平板状の載置板を備えるあおりパネル固定具と、前記側面差し枠パネルと、前記後面差し枠パネルの上端部を同時に狭持して固定することができる脱落防止手段を備えて直交する略コの字状の狭持部を形成して成る少なくとも２以上のコーナーパネル固定具と、から成り、使用時において、前記あおりパネル固定具のあおりパネル狭持部を軽トラックのあおりの上端部に差し込んで固定すると共に、前記あおりパネル固定具の差し枠パネル狭持部に前記側面差し枠パネルならびに前記後面差し枠パネルの下端部を差し込んで固定し、さらに、対向する前記側面差し枠パネルの上端部に少なくとも１以上の前記上端��ネル固定具を差し込んで固定し、さらにまた、前記コーナーパネル固定具を前記側面差し枠パネルと前記後面差し枠パネルの交差部に差し込んで固定する手段を採る。【００１４】  また、本発明は、前記上端パネル固定具の連結ロッドの中間位置に、分解・組立手段若しくは折り畳み手段を設けた手段を採る。【００１５】  また、本発明は、前記請求項１または請求項２記載の差し枠パネル固定具を軽トラックの荷台に装着した状態で幌カバーを被覆させた手段を採る。
【発明の効果】
【００１６】  本発明の差し枠パネル固定具によれば、あおりパネル固定具が軽トラックのあおりを利用して固定される手段を採用していることによって、走行中における差し枠パネル固定具の移動（ずれ込み）ならびに脱落防止手段が確実に図れるといった優れた効果を奏する。【００１７】  また、本発明の差し枠パネル固定具によれば、差し枠パネルをコンパネまたは金属製の足場板とすることで製品自体のコストダウンが図れると共に、市販されているコンパネまたは金属製の足場板をユーザー自身が購入することで流通段階の製品供給が廉価にできるといった優れた効果を奏する。【００１８】  また、本発明の差し枠パネル固定具によれば、構成部品がコンパネまたは金属製の足場板と固定具で構成されると共に、それぞれの構成部品が連結されていない簡易構造であるため、分解組み立てが容易にでき、さらに現場での取り付け取り外し作業が容易であるといった優れた効果を奏する。【００１９】  また、本発明の差し枠パネル固定具によれば、新たにトラックの荷台の前方を覆うコンパネとコーナーパネル固定具を使用することで、軽トラックの荷台の四方をコンパネまたは金属製の足場板で囲むことができることによって、土砂、肥料などの流動物を容易に運搬ならびに積載することができるといった優れた効果を奏する。【００２０】  また、本発明の差し枠パネル固定具によれば、固定具の連結ロッドまたは連結ブレードの中間位置に分解・組立手段若しくは折り畳み手段を設けることによって、使用時においては、格納並びに運搬・組み立て作業が容易にできると共に、販売時においては商品の運搬、販売が容易にでき、さらに販売・在庫管理場所の省スペース化が図れるといった優れた効果を奏する。【００２１】  また、本発明の差し枠パネル固定具によれば、軽トラックの荷台に差し枠パネル固定具を装着することで差し枠パネル固定具自体が骨組みとなり、その状態で上方から幌カバーを被覆させることで容易に幌カバー付き軽トラックとすることができるといった優れた効果を奏する。
【図面の簡単な説明】
【００２２】
【図１】本発明の差し枠パネル固定具における実施形態を示す説明図である。（実施例１）
【図２】本発明の差し枠パネル固定具におけるその他の実施形態を示す説明図である。（実施例２）
【図３】本発明の差し枠パネル固定具における装着状態を示す全体斜視図である。
【図４】本発明の差し枠パネル固定具における組み立て・設置手順を示す説明図である。
【図５】本発明の差し枠パネル固定具における脱落防止手段を示す断面説明図である。
【図６】本発明の差し枠パネル固定具におけるその他の実施形態を示す説明図である。（実施例３）
【図７】本発明の差し枠パネル固定具におけるその他の実施形態を示す全体斜視図である。（実施例４）
【発明を実施するため形態】
【００２３】  本発明における差し枠パネル固定具１０は、軽トラックＫのあおりＤの上端面に載置される差し枠パネル２０と、該差し枠パネル２０の上下端部を狭持して固定する固定具３０と、で構成され、使用時において、あおりパネル固定具３４のあおりパネル狭持部３５を軽トラックＫのあおりＤの上端部に差し込んで固定すると共に、あおりパネル固定具３４の差し枠パネル狭持部３７に側面差し枠パネル２１ならびに後面差し枠パネル２２の下端部を差し込んで固定する手段を採ったことを最大の特徴とする。
以下、本発明の実施形態を、図面に基づいて説明する。
【００２４】  尚、本発明の差し枠パネル固定具１０は、以下に述べる実施例に限定されるものではなく、本発明の技術的思想の範囲内、すなわち同一の作用効果を発揮できる形状及び寸法の範囲内で、適宜変更することができる。
【実施例１】
【００２５】  図１は、本発明の差し枠パネル固定具における実施形態を示す説明図である。
図１（ａ）は、本発明の差し枠パネル固定具１０の装着状態を示す全体斜視図である。
図１（ｂ）は、本発明の差し枠パネル固定具１０の分解斜視図である。
本発明の差し枠パネル固定具１０は、軽トラックＫのあおりＤの上端面に載置される差し枠パネル２０と、該差し枠パネル２０の上下端部を狭持して固定する固定具３０と、で構成される差し枠パネル固定具１０であって、該差し枠パネル２０は、軽トラックＫのあおりＤの上端面に載置される形状で形成されると共に、脱落防止手段４０を備える二枚の側面差し枠パネル２１と、一枚の後面差し枠パネル２２と、から成り、固定具３０は、側面差し枠パネル２１間に配置される所定の長さを有する連結ロッド３３の両端に側面差し枠パネル２１の上端部を横架する脱落防止手段４０を備える略Ｌ字状の差し込み部３２ａを形成して成る複数の上端パネル固定具３１と、垂直に立設する略コの字状のアングル構造材の高さ方向の所定の位置に略コの字状の凹部を塞いで一側方向に延設して軽トラックＫのあおりＤの上端面に安定的に載置される平板状の載置板３６を固着すると共に、該載置板３６を境に上方に差し枠パネル狭持部３７が形成され、下方にあおりパネル狭持部３５が形成され、さらに該あおりパネル狭持部３５の側壁面３５ａに軽トラックＫのあおりＤが差し込まれる切り欠け部３５ｂが形成されるあおりパネル固定具３４と、から成る。【００２６】  差し枠パネル２０は、軽トラックＫの荷台Ｎ内に収まる寸法で形成される二枚の側面差し枠パネル２１と、一枚の後面差し枠パネル２２とから成り、市販されている金属製の足場板を所定の寸法に切断加工して形成される。差し枠パネル２０が市販されている金属製の足場板を加工して利用することで、ユーザーが差し枠パネル２０自体を自前で調達することができるため、購入単価の節減ならびに消耗、破損による交換が容易にできると共に、その差し枠高さは、ユーザーの使用目的に合わせてＤＩＹ等によって自由に設定することができる。【００２７】  固定具３０は、側面差し枠パネル２１の上端を固定する上端パネル固定具３１と、差し枠パネル２０の下端と軽トラックＫのあおりＤの上端部を狭持するあおりパネル固定具３４と、で構成される。【００２８】  上端パネル固定具３１は、対向するに二つの側面差し枠パネル２１の上端を横架して固定する構造で形成されるもので、例えば、構造用の鉄筋（ロッド）ならびに鉄板（ブレード）を加工して制作される。
また、連結ロッド３３は、差し枠パネル２０が積載物の重量によって荷台Ｎの外側方向に広がらないようにする目的で設けられることから、ブレード状の金属板を加工して形成することもできる。
また、図示はしていないが、雨水対策として連結ロッド３３の全体形状を山形またはＲ状に湾曲させた仕様とすることや、さらに複数本配設することもできる。【００２９】  差し込み部３２ａは、連結ロッド３３の両端をＬ字状に曲げて側面差し枠パネル２１の上端部の差し込み穴４０ａに差し込まれる形状に形成されるもので、その形状は特に限定するものではない。【００３０】  あおりパネル固定具３４は、垂直に立設する略コの字状のアングル構造材の高さ方向の所定の位置に略コの字状の凹部を塞いで一側方向に延設して軽トラックＫのあおりＤの上端面に安定的に載置される平板状の載置板３６を固着すると共に、該載置板３６を境に上方に差し枠パネル狭持部３７が形成され、下方にあおりパネル狭持部３５が形成され、さらに該あおりパネル狭持部３５の側壁面３５ａに軽トラックＫのあおりＤが差し込まれる切り欠け部３５ｂを設けて形成される。【００３１】  あおりパネル狭持部３５は、あおりパネル固定具３４の載置板３６を境に下方に形成され、軽トラックＫのあおりＤの上端部を狭持することができる略コの字状の形状に形成される。【００３２】  載置板３６は、垂直に立設する略コの字状のアングル構造材の高さ方向の所定の位置に略コの字状の凹部を塞いで一側方向に延設して軽トラックＫのあおりＤの上端面に安定的に載置される平板状に形成される。【００３３】  差し枠パネル狭持部３７は、あおりパネル狭持部３５の載置板３６を境に上方に形成され、差し枠パネル２０の下端部を狭持することができる略コの字状に形成されるもので、差し枠パネル２０の厚みが差し込まれる略コの字状の隙間が形成され、さらに後述する脱落防止手段４０が設けられているもので先端の内側が外側に向かって広がって差し枠パネル２０が差し込みやすいテーパ状に形成されることが望ましい。【００３４】  脱落防止手段４０は、側面差し枠パネル２１と後面差し枠パネル２２の上端ならびに下端に設けられる通し穴４０ｃにボルト４０ｅを差し込んで固定することができる形状に形成されるもので、側面差し枠パネル２１と後面差し枠パネル２２が積載物の重量によって外側に倒れ込む状態を防止すると共に、走行中の脱落を防止する役目を果たす。【００３５】  以上で構成される本発明の差し枠パネル固定具１０は、軽トラックＫの荷台ＮのあおりＤの上端部に載置される差し枠パネル２０を確実に固定して安定的に立設させると共に、現場での取り付け取り外しが容易にできる差し枠パネル固定具１０の提供を可能にする。
【実施例２】
【００３６】  図２は、本発明の差し枠パネル固定具における実施形態を示す説明図である。
図２（ａ）は本発明の差し枠パネル固定具１０の装着状態を示す全体斜視図である。
図２（ｂ）は本発明の差し枠パネル固定具１０の分解斜視図である。
本発明の差し枠パネル固定具１０は、軽トラックＫのあおりＤの上端面に載置される差し枠パネル２０と、該差し枠パネル２０の上下端部を狭持して固定する固定具３０と、で構成され、該差し枠パネル２０は、軽トラックＫのあおりＤの上端面に載置される形状で形成されると共に、脱落防止手段４０を備える二枚の側面差し枠パネル２１と、一枚の後面差し枠パネル２２と、から成り、固定具３０は、側面差し枠パネル２１間に配置される所定の長さを有する連結ロッド３３の両端に側面差し枠パネル２１の上端部を狭持する脱落防止手段４０を備える略Ｕ字状の狭持部３２を形成して成る複数の上端パネル固定具３１と、軽トラックＫのあおりＤの上端部を狭持する開口部が下向きの略コの字状のあおりパネル狭持部３５を形成すると共に、差し枠パネル２０の下端部を狭持する開口部が上向きの略コの字状の差し枠パネル狭持部３７を形成し、さらにあおりパネル狭持部３５と差し枠パネル狭持部３７の中間に軽トラックＫのあおりＤの上端面に安定的に載置される平板状の載置板３６を備えるあおりパネル固定具３４と、側面差し枠パネル２１と、後面差し枠パネル２２の上端部を同時に狭持して固定することができる脱落防止手段４０を備えて直交する略コの字状の狭持部３２を形成して成る少なくとも２以上のコーナーパネル固定具３８と、から成る。【００３７】  差し枠パネル２０は、軽トラックＫの荷台Ｎ内に収まる寸法で形成される二枚の側面差し枠パネル２１と、一枚の後面差し枠パネル２２とから成り、市販されているコンパネまたは金属製の足場板を所定の寸法に切断加工して形成される。差し枠パネル２０が市販されているコンパネまたは金属製の足場板を加工して利用することで、ユーザーが差し枠パネル２０自体を自前で調達することができるため、購入単価の節減ならびに消耗、破損による交換が容易にできると共に、その差し枠高さは、ユーザーの使用目的に合わせてＤＩＹ等によって自由に設定することができる。【００３８】  固定具３０は、差し枠パネル２０の上端を固定する上端パネル固定具３１と、差し枠パネル２０の下端と軽トラックＫのあおりＤの上端部を狭持するあおりパネル固定具３４と、側面差し枠パネル２１と後面差し枠パネル２２の上端部を同時に狭持して固定するコーナーパネル固定具３８と、で構成される。【００３９】  上端パネル固定具３１は、側面差し枠パネル２１の上端を狭持した状態で固定する構造で形成されるもので、例えば、構造用の鉄筋（ロッド）ならびに鉄板（ブレード）を加工して制作される。
また、連結ロッド３３は、側面差し枠パネル２１が積載物の重量によって荷台Ｎの外側方向に広がらないようにする目的で設けられることから、ブレード状の金属板を加工して図示されているような脱落防止手段４０を備える上端パネル固定具３１とすることも可能である。
また、図示はしていないが、雨水対策として連結ロッド３３の全体形状を山形またはＲ状に湾曲させた仕様とすることや、さらに複数本配設することもできる。【００４０】  狭持部３２は、連結ロッド３３の両端に側面差し枠パネル２１の上端部の厚みが差し込まれる隙間を形成すると共に、先端がやや解放され、さらに内側にやや付勢して側面差し枠パネル２１が差し込みやすい末広がり状に形成されることが望ましい。【００４１】  あおりパネル固定具３４は、軽トラックＫのあおりＤの上端部を狭持する開口部が下向きの略コの字状のあおりパネル狭持部３５を形成すると共に、差し枠パネル２０の下端部を狭持する開口部が上向きの略コの字状の差し枠パネル狭持部３７を形成し、さらにあおりパネル狭持部３５と差し枠パネル狭持部３７の中間に軽トラックＫのあおりＤの上端面に安定的に載置される平板状の載置板３６を備えて、あおりパネル狭持部３５を軽トラックＫのあおりＤの上端部に差し込み、差し枠パネル狭持部３７に差し枠パネル２０の下端部を差し込んで脱落防止手段４０によって固定する形状に形成される。尚、図示はしていないが、固定具３０の外側に固定具自体の補強を目的としてリブを設けることもできる。【００４２】  あおりパネル狭持部３５は、軽トラックＫのあおりＤの上端部を狭持する開口部が下向きの略コの字状に形成され、差し枠をコンパネとした場合はスペーサーを介在させることで幅狭とし、金属製の足場板とした場合は幅大に形成される。【００４３】  載置板３６は、あおりパネル狭持部３５と差し枠パネル狭持部３７の中間に軽トラックＫのあおりＤの上端面に安定的に載置される平板状に形成される。【００４４】  差し枠パネル狭持部３７は、差し枠パネル２０の下端部を狭持することができる略コの字状に形成されるもので、差し枠パネル２０の厚みが差し込まれる略コの字状の隙間が形成され、さらに後述する脱落防止手段４０が設けられているもので先端の内側が外側に向かって広がって差し枠パネル２０が差し込みやすいテーパ状に形成されることが望ましい。【００４５】  脱落防止手段４０は、側面差し枠パネル２１と後面差し枠パネル２２の上端ならびに下端に設けられる通し穴４０ｃにボルト４０ｅを差し込んで固定することができる形状に形成されるもので、側面差し枠パネル２１と後面差し枠パネル２２が積載物の重量によって外側に倒れ込む状態を防止すると共に、走行中の脱落を防止する役目を果たす。【００４６】  コーナーパネル固定具３８における脱落防止手段４０は、側面差し枠パネル２１と後面差し枠パネル２２が直交する上端箇所の通し穴４０ｃにボルト４０ｅと固定ピン４０ｆを差し込むことで固定ならび跳ね上げ式とすることができる。【００４７】  コーナーパネル固定具３８は、側面差し枠パネル２１と、後面差し枠パネル２２の上端部を同時に狭持して固定することができる後述する脱落防止手段４０を備えて直交する略コの字状の狭持部３９を形成して成る。【００４８】  狭持部３９は、後面差し枠パネル２２と側面差し枠パネル２１の上端部を同時に狭持することができる略コの字状に直交する形状に形成されるもので、先端の内側が外側に向かって広がって差し枠パネル２０が差し込みやすいテーパ状に形成されることが望ましい。【００４９】  以上で構成される本発明の差し枠パネル固定具１０は、軽トラックＫの荷台ＮのあおりＤの上端部に載置される差し枠パネル２０を確実に固定して安定的に立設させると共に、現場での取り付け取り外しが容易にできる差し枠パネル固定具１０の提供を可能にする。【００５０】  図３は、本発明の差し枠パネル固定具における装着状態を示す全体斜視図である。
本発明の差し枠パネル固定具１０が軽トラックＫの荷台Ｎに装着された際は、軽トラックＫの荷台ＮのあおりＤに載置される差し枠パネル２０を確実に固定して安定的に立設させると共に、現場での取り付け取り外しが容易にできる手段を採用していることで、走行中の差し枠のずれ込みならびに脱落防止手段４０が阻止されると共に、差し枠パネル２０を金属製の足場板とすることで製品自体のコストダウンが図れ、さらに市販されているコンパネをユーザー自身が購入することで流通段階の製品供給を固定具３０のみで販売することができ、さらにまた、構成部品が金属製の足場板と固定具３０で構成される簡易構造であるため、取り付け取り外し作業が容易であると共に、広い収納スペースを必要としないといった数多くの利点を有する差し枠パネル固定具１０の提供を可能にする。【００５１】  図４は、本発明の差し枠パネル固定具における組み立て・設置手順を示す説明図である。
（１）軽トラックＫの荷台Ｎの側面及び後面あおりＤを立てる。
（２）軽トラックＫの荷台Ｎの側面及び後面あおりＤの上端部にあおりパネル固定具３４のあおりパネル狭持部３５を差し込んで固定する。
（３）側面及び後面あおりＤの上端部に固定されたあおりパネル固定具３４の差し枠パネル狭持部３７に金属製の足場板で形成される側面差し枠パネル２１及び後面差し枠パネル２２の下端部を其々差し込んで固定する。
（４）対向する側面差し枠パネル２１の上端部に上端パネル固定具３１の差し込み部３２ａを差し込む。（図５（ａ）参照）
（５）組み立て・設置作業終了（積載物を積み下ろしする作業に移る）【００５２】  以上で構成される本発明の差し枠パネル固定具１０の組み立て・設置作業は、構成部品が少なく設置作業も単に軽トラックＫの荷台ＮのあおりＤの上端部に固定するだけで済むことから、使用者における農作業の効率化ならびに設置労力の軽減化が容易に図られる。【００５３】  図５は、本発明の差し枠パネル固定具における脱落防止手段を示す断面説明図である。
本発明の差し枠パネル固定具１０は、差し枠パネル２０と固定具３０とが当接する箇所に、脱落防止手段４０を設けて走行中の差し枠パネル固定具１０の脱落を防止することができる。
脱落防止手段４０としては、例えば、下記の構造が考えられる。【００５４】  図５（ａ）は通し穴４０ｃとボルト４０ｅによる構造。
差し枠パネル２０には、あおりパネル固定具３４の当接位置に任意形状の通し穴４０ｃを空け、あおりパネル固定具３４には、通し穴４０ｃとボルトねじ穴４０ｄを設け、あおりパネル固定具３４と差し枠パネル２０の通し穴４０ｃにボルト４０ｅを通すことによって差し枠パネル２０の脱落防止手段４０が図られる。
軽トラックＫの側面あおりＤに装着する際は、さらにボルト４０ｅをボルトねじ穴４０ｄにねじ込んでボルト４０ｅの先端を軽トラックＫの側面あおりＤに当接させることによって、差し枠パネル固定具１０を軽トラックＫに強固に固定することができる。【００５５】  図５（ｂ）は差し込み穴４０ａに差し込む構造。
上端パネル固定具３１のＬ字状の差し込み部３２ａを側面差し枠パネル２１の差し込み穴４０ａに差し込むことによって側面差し枠パネル２１の脱落防止が図られる。【００５６】  図５（ｃ）は落とし込み穴４０ｇに落とし込む構造。
上端パネル固定具３１の狭持部３２の内側に膨らむ付勢部を側面差し枠パネル２１の落とし込み穴４０ｇに落とし込むことによって側面差し枠パネル２１の脱落防止が図られる。
【実施例３】
【００５７】  図６は、本発明の差し枠パネル固定具におけるその他の実施形態を示す説明図である。
本発明の差し枠パネル固定具１０は、固定具３０の連結ロッド３３の中間位置に、分解・組立手段４１若しくは折り畳み手段４２を設けて、部品のコンパクト化ならびに収納スペースの縮小化を図ることができる。
分解・組立手段４１ならびに折り畳み手段４２としては、例えば、下記の構造が考えられる。【００５８】  図６（ａ）は分解・組立手段４１による構造。
連結ロッド３３の中間位置にボルト連結部４１ａを設けて、二分割に分解できる構造とすることができる。【００５９】  図６（ｂ）は折り畳み手段４２による構造。
連結ロッド３３をブレード状に形成した場合、該ブレードの中間位置に丁番４２ａや差し込み式のピン等を設けて二分割に折り畳む構造とすることができる。
【実施例４】
【００６０】  図７は、本発明の差し枠パネル固定具におけるその他の実施形態を示す全体斜視図である。
本発明の差し枠パネル固定具１０は、差し枠パネル固定具１０を軽トラックＫの荷台Ｎに装着した状態で幌カバーＦを被覆させることによって、差し枠パネル固定具１０自体が幌カバーＦの骨組みの役割を果たすことで簡便且つ容易に幌カバーＦ付き軽トラックＫとすることができるもので、例えば、一枚の防水シートの端部を軽トラックＫの荷台Ｎと差し枠パネル２０の間に差し込んで簡易的な幌カバーＦ付き軽トラックＫとすることができる。また、簡易縫製のボックス状の幌カバーＦを用いることによって安価な幌カバーＦ付き軽トラックＫとすることができる。
【産業上の利用可能性】
【００６１】  本発明の差し枠パネル固定具は、積載作業の効率化、固定構造の簡易化ならびに軽量化に加えて現場での取り付け取り外しが容易であると共に、天候に左右されず、多様な目的に対応できる固定手段を軽トラックの荷台のあおりに載置する構造で形成されるもので、従来のあおりパネル固定具と比して、取扱いならびに運搬の容易性、製品価格の経済性、農事作業のやり易さなど第一次産業から第三次産業に跨る各ユーザーの多様な要求を満たすことができることから、本発明の「差し枠パネル固定具」の産業上の利用可能性は極めて大であるものと思料する。
【符号の説明】
【００６２】１０    差し枠パネル固定具
２０    差し枠パネル
２１    側面差し枠パネル
２２    後面差し枠パネル
３０    固定具
３１    上端パネル固定具
３２    狭持部
３２ａ  差し込み部
３３    連結ロッド
３４    あおりパネル固定具
３５    あおりパネル狭持部
３５ａ  側壁面
３５ｂ  切り欠き部
３６    載置板
３７    差し枠パネル狭持部
３８    コーナーパネル固定具
３９    狭持部
４０    脱落防止手段
４０ａ  差し込み穴
４０ｃ  通し穴
４０ｄ  ボルトねじ穴
４０ｅ  ボルト
４０ｆ  固定ピン
４０ｇ  落とし込み穴
４１    分解・組立手段
４１ａ  ボルト連結部
４２    折り畳み手段
４２ａ  丁番
Ｋ    軽トラック
Ｎ    荷台
Ｄ    あおり
Ｆ    幌カバー
【図１】
2018144787.tif 000003
【図２】
2018144787.tif 000004
【図３】
2018144787.tif 000005
【図４】
2018144787.tif 000006
【図５】
2018144787.tif 000007
【図６】
2018144787.tif 000008
【図７】
2018144787.tif 000009